(57)【特許請求の範囲】
【請求項１】
燃焼炉において、流動媒体と原料から生成されたチャーとを供給された空気によって流動化させるとともにチャーを燃焼させ、前記燃焼炉からの排ガスから流動媒体を分離し、ガス化炉において、分離された前記流動媒体を導入して該流動媒体を流動化させるとともに供給された原料を流動層によりガス化し、前記ガス化炉から前記燃焼炉に前記流動媒体と前記チャーを戻すように構成した循環流動層ガス化装置において前記燃焼炉に供給する空気流量を制御する空気流量制御方法であって、
最低流動化空気量保障手段が、前記燃焼炉において流動層を形成することが要求される運転状態において、前記燃焼炉において流動層を形成するための必要最低限の空気流量である最低流動化空気量下限値を下回らないように前記燃焼炉に供給する空気流量を制御し、
最低循環空気量保障手段が、前記燃焼炉の流動媒体を循環させることが要求される運転状態において、前記燃焼炉の流動媒体を循環させるための必要最低限の空気流量である最低循環空気流量下限値を下回らないように前記燃焼炉に供給する空気流量を制御し、
ガス化炉への原料流量指令値として、最低負荷運転時の原料流量指令値である最低負荷指令値と、定格負荷運転時の原料流量指令値である定格負荷指令値とが設定されており、
前記ガス化炉に原料が供給されていないときは、前記最低流動化空気量保障手段が、最低流動化空気量下限値を下回らないように前記空気流量を制御し、
前記ガス化炉に原料が供給され、原料流量指令値が最低負荷指令値と定格負荷指令値の間であるときは、前記最低循環空気量保障手段が、最低循環空気流量下限値を下回らないように前記空気流量を制御し、
前記ガス化炉に原料が供給され、原料流量指令値が０と最低負荷指令値の間であるときは、前記最低循環空気量保障手段が、最低流動化空気量下限値と最低循環空気流量下限値の間で原料流量指令値に比例して増加するように前記空気流量を制御する、ことを特徴とする循環流動層ガス化装置の空気流量制御方法。
【請求項２】
燃焼炉において、流動媒体と原料から生成されたチャーとを供給された空気によって流動化させるとともにチャーを燃焼させ、前記燃焼炉からの燃焼ガスから流動媒体を分離し、ガス化炉において、分離された前記流動媒体を導入して該流動媒体を流動化させるとともに供給された原料を流動層によりガス化し、前記ガス化炉から前記燃焼炉に前記流動媒体と前記チャーを戻すように構成した循環流動層ガス化装置において前記燃焼炉に供給する空気流量を制御する空気流量制御装置であって、
前記燃焼炉において流動層を形成することが要求される運転状態において、前記燃焼炉において流動層を形成するための必要最低限の空気流量である最低流動化空気量下限値を下回らないように前記燃焼炉に供給する空気流量を制御する最低流動化空気量保障手段と、
前記燃焼炉の流動媒体を循環させることが要求される運転状態において、前記燃焼炉の流動媒体を循環させるための必要最低限の空気流量である最低循環空気流量下限値を下回らないように前記燃焼炉に供給する空気流量を制御する最低循環空気量保障手段と、を備え、
ガス化炉への原料流量指令値として、最低負荷運転時の原料流量指令値である最低負荷指令値と、定格負荷運転時の原料流量指令値である定格負荷指令値とが設定されており、
最低流動化空気量保障手段は、前記ガス化炉に原料が供給されていないときは、最低流動化空気量下限値を下回らないように前記空気流量を制御し、
最低循環空気量保障手段は、前記ガス化炉に原料が供給され、原料流量指令値が最低負荷指令値と定格負荷指令値の間であるときは、最低循環空気流量下限値を下回らないように前記空気流量を制御し、
前記ガス化炉に原料が供給され、原料流量指令値が０と最低負荷指令値の間であるときは、最低流動化空気量下限値と最低循環空気流量下限値の間で原料流量指令値に比例して増加するように前記空気流量を制御する、ことを特徴とする空気流量制御装置。
【請求項３】
燃焼炉において、流動媒体と原料から生成されたチャーとを供給された空気によって流動化させるとともにチャーを燃焼させ、前記燃焼炉からの燃焼ガスから流動媒体を分離し、ガス化炉において、分離された前記流動媒体を導入して該流動媒体を流動化させるとともに供給された原料を流動層によりガス化し、前記ガス化炉から前記燃焼炉に前記流動媒体と前記チャーを戻すように構成した循環流動層ガス化装置において前記燃焼炉に供給する空気流量を制御する空気流量制御装置であって、
前記燃焼炉の流動媒体を循環させることが要求される運転状態において、前記燃焼炉の流動媒体を循環させるための必要最低限の空気流量である最低循環空気流量下限値を下回らないように前記燃焼炉に供給する空気流量を制御する最低循環空気量保障手段を備え、
最低循環空気量保障手段は、前記ガス化炉に原料が供給され、原料流量指令値が最低負荷指令値と定格負荷指令値の間であるときは、最低循環空気流量下限値を下回らないように前記空気流量を制御し、
前記ガス化炉に原料が供給され、原料流量指令値が０と最低負荷指令値の間であるときは、最低流動化空気量下限値と最低循環空気流量下限値の間で原料流量指令値に比例して増加するように前記空気流量を制御する、ことを特徴とする空気流量制御装置。
【請求項４】
前記最低流動化空気量下限値は、前記燃焼炉内の流動媒体の温度と相関を持つ質量流量である請求項２に記載の空気流量制御装置。
【請求項５】
前記最低循環空気量下限値は、前記燃焼炉内の流動媒体の温度と相関を持つ質量流量である請求項２又は３に記載の空気流量制御装置。
【請求項６】
前記ガス化炉に供給される原料と前記燃焼炉に供給される燃料の両方又は一方の供給量に基づいて、前記燃焼炉において所望の燃焼状態を維持するための必要最低限の空気流量である最低燃焼空気量下限値を算出し、該最低燃焼空気量下限値を下回らないように前記燃焼炉に供給する空気流量を制御する最低燃焼空気量保障手段を備える請求項２乃至５のいずれか１項に記載の空気流量制御装置。
【請求項７】
燃焼炉において、流動媒体と原料から生成されたチャーとを供給された空気によって流動化させるとともにチャーを燃焼させ、前記燃焼炉からの燃焼ガスから流動媒体を分離し、ガス化炉において、分離された前記流動媒体を導入して該流動媒体を流動化させるとともに供給された原料を流動層によりガス化し、前記ガス化炉から前記燃焼炉に前記流動媒体と前記チャーを戻すように構成した循環流動層ガス化装置において、請求項２乃至６のいずれか１項に記載の空気流量制御装置を備えることを特徴とする循環流動層ガス化装置。
【発明の詳細な説明】
【技術分野】
【０００１】
本発明は、循環流動層ガス化装置とその空気流量制御方法及び装置に関する。
【背景技術】
【０００２】
バブリング流動層で、バイオマス、石炭などのガス化を行い、循環流動層で、チャーを燃焼させて流動媒体を加熱し、これを、バブリング流動層に戻す流動層ガス化システムが下記特許文献１において提案されている。
【０００３】
特許文献１に開示された循環流動層ガス化装置は、ガス化効率が悪く、また生成されたガス化ガス中に不活性ガスや燃焼ガスが多量に混入するという問題があり、このような問題を解決するための技術が、下記特許文献２において本出願人により提案されている。
【０００４】
図８に、特許文献２に開示された循環流動層ガス化装置１００の全体構成を示す。図８において、循環流動層ガス化装置１００は、ガス化によって生成されたチャーと流動媒体とを供給された空気によって高速で流動化させつつチャーを燃焼させて流動媒体を加熱する燃焼炉１０１と、燃焼炉１０１からの流動媒体を分離する分離器１０２と、分離器１０２で分離された流動媒体を導入し、これを水蒸気で流動化しつつ供給された原料（バイオマス、石炭など）をガス化するとともに流動媒体との原料のガス化によって生成されたチャーの一部を燃焼炉１０１に循環するガス化炉１０３とを備える。
【０００５】
上記構成の循環流動層ガス化装置１００において、燃焼炉１０１内での流動は高速流動であり、チャーは流動化空気で燃焼されながら流動媒体とともに炉体を上昇して分離器１０２に導入される。分離器１０２においてチャーと流動媒体が排ガスから分離されてガス化炉１０３に導入される。ガス化炉１０３には、原料が供給され、流動媒体の熱と下方から供給される水蒸気により原料から水素、一酸化炭素、メタンなどが混在したガス化ガスが生成される。チャーと流動媒体は、ガス化炉１０３に接続されたオーバーフロー管１０４から燃焼炉１０１に循環され、再度上述のように燃焼と流動化が行われる。
【０００６】
【特許文献１】特開２００３−１７６４８６号公報
【特許文献２】特許第３９３３１０５号公報
【発明の開示】
【発明が解決しようとする課題】
【０００７】
ところで、特許文献２の循環流動層ガス化装置１００と異なり、ガス化炉を備えていない従来の典型的な循環流動層炉（流動層ボイラなど）においては、燃焼炉に供給する空気流量には、燃焼炉への燃料供給量に対する燃焼性及び排ガスの酸素濃度を考慮して、空気流量の下限値である「最低燃料空気量下限値」が決められる。そして、プラント運転状態を保護するため、誤操作などによって空気流量が最低燃料空気量下限値を下回ることがないように、空気流量の制御回路上に空気流量指令下限設定回路が設けられている。すなわち、万一、空気流量指令値を不当に低く設定しても、空気流量指令下限設定回路によって、運転継続またはプラント状態保持に必要な最低空気流量が保障される。
【０００８】
一方、上述した特許文献２のような循環流動層ガス化装置１００では、多くの流動媒体（ベッド材）を保有するガス化炉１０３を含ために全体の流動媒体の保有量が、ガス化炉を持たない循環流動層炉と比べて多い。このため、循環流動層ガス化装置１００では、プラント起動時に燃焼炉１０１内の流動媒体を流動化して必要な温度まで暖機をする流動化運転と、所定温度まで流動媒体が昇温した後に流動媒体を循環させてガス化炉１０３の原料にガス化に必要な熱を供給するとともにガス化炉１０３のチャー及び流動媒体を燃焼炉１０１に戻す循環運転とを使い分ける必要がある。
【０００９】
したがって、循環流動層ガス化装置１００では、燃焼炉１０１への空気流量として、上記の最低燃料空気量のほかに以下の２種類がある。
（１）燃焼炉の流動媒体を流動化させるために必要な最低流動化空気量
（２）燃焼炉の流動媒体を循環させるために必要な最低循環空気量
一般に、流動化空気量と循環空気量を比較すると、後者が前者の数倍〜１０倍程度の数値となる。このため各々に対応する最低空気流量下限値も数倍〜１０倍程度の違いがある。
【００１０】
しかしながら、従来の循環流動層ガス化装置１００では、空気流量制御回路上に最低流動化空気量と最低循環空気量の下限値を設定する回路が設けられておらず、それぞれの最低空気量が保障されていない。このため、操作員の誤操作または空気流量設定器の誤指令によって不当に低い空気流量が設定された場合に、流動化運転状態を維持できない、あるいは循環運転状態を維持できなくなり、プラント運転に悪影響を及ぼすことになる。
【００１１】
本発明は上記の問題に鑑みてなされたものであり、燃焼炉の最低流動化空気量と最低循環空気量の両方又は一方を保障することができる循環流動層ガス化装置とその空気流量制御方法及び装置を提供することを課題とする。
【課題を解決するための手段】
【００１２】
上記の課題を解決するため、本発明は以下の技術的手段を採用する。
本発明は、燃焼炉において、流動媒体と原料から生成されたチャーとを供給された空気によって流動化させるとともにチャーを燃焼させ、前記燃焼炉からの排ガスから流動媒体を分離し、ガス化炉において、分離された前記流動媒体を導入して該流動媒体を流動化させるとともに供給された原料を流動層によりガス化し、前記ガス化炉から前記燃焼炉に前記流動媒体と前記チャーを戻すように構成した循環流動層ガス化装置において前記燃焼炉に供給する空気流量を制御する空気流量制御方法であって、
最低流動化空気量保障手段が、前記燃焼炉において流動層を形成することが要求される運転状態において、前記燃焼炉において流動層を形成するための必要最低限の空気流量である最低流動化空気量下限値を下回らないように前記燃焼炉に供給する空気流量を制御し、
最低循環空気量保障手段が、前記燃焼炉の流動媒体を循環させることが要求される運転状態において、前記燃焼炉の流動媒体を循環させるための必要最低限の空気流量である最低循環空気流量下限値を下回らないように前記燃焼炉に供給する空気流量を制御し、
ガス化炉への原料流量指令値として、最低負荷運転時の原料流量指令値である最低負荷指令値と、定格負荷運転時の原料流量指令値である定格負荷指令値とが設定されており、
前記ガス化炉に原料が供給されていないときは、前記最低流動化空気量保障手段が、最低流動化空気量下限値を下回らないように前記空気流量を制御し、
前記ガス化炉に原料が供給され、原料流量指令値が最低負荷指令値と定格負荷指令値の間であるときは、前記最低循環空気量保障手段が、最低循環空気流量下限値を下回らないように前記空気流量を制御し、
前記ガス化炉に原料が供給され、原料流量指令値が０と最低負荷指令値の間であるときは、前記最低循環空気量保障手段が、最低流動化空気量下限値と最低循環空気流量下限値の間で原料流量指令値に比例して増加するように前記空気流量を制御する、ことを特徴とする。
【００１３】
上記の方法によれば、最低流動化空気量保障手段によって燃焼炉への空気流量が最低流動化空気量下限値を下回らない流量に制御され、最低循環空気量保障手段によって燃焼炉への空気量が最低循環空気流量下限値を下回らない流量に制御される。これにより燃焼炉の最低流動化空気量と最低循環空気流量を保障することができる。
【００１５】
上記の方法によれば、ガス化炉に原料が供給されていないときは、最低流動化空気量保障手段により燃焼炉に対する空気流量下限値が最低流動化空気量下限値に設定され、ガス化炉に原料が供給されているときは、最低循環空気量保障手段により燃焼炉に対する空気流量下限値が最低循環空気量下限値に設定される。これにより、ガス化炉への原料の供給開始時及び供給停止時に、自動的に最低流動化空気量下限値と最低循環空気量下限値を切り替えることができる。
【００１６】
また、本発明は、燃焼炉において、流動媒体と原料から生成されたチャーとを供給された空気によって流動化させるとともにチャーを燃焼させ、前記燃焼炉からの燃焼ガスから流動媒体を分離し、ガス化炉において、分離された前記流動媒体を導入して該流動媒体を流動化させるとともに供給された原料を流動層によりガス化し、前記ガス化炉から前記燃焼炉に前記流動媒体と前記チャーを戻すように構成した循環流動層ガス化装置において前記燃焼炉に供給する空気流量を制御する空気流量制御装置であって、
前記燃焼炉において流動層を形成することが要求される運転状態において、前記燃焼炉において流動層を形成するための必要最低限の空気流量である最低流動化空気量下限値を下回らないように前記燃焼炉に供給する空気流量を制御する最低流動化空気量保障手段と、
前記燃焼炉の流動媒体を循環させることが要求される運転状態において、前記燃焼炉の流動媒体を循環させるための必要最低限の空気流量である最低循環空気流量下限値を下回らないように前記燃焼炉に供給する空気流量を制御する最低循環空気量保障手段と、を備え、
ガス化炉への原料流量指令値として、最低負荷運転時の原料流量指令値である最低負荷指令値と、定格負荷運転時の原料流量指令値である定格負荷指令値とが設定されており、
最低流動化空気量保障手段は、前記ガス化炉に原料が供給されていないときは、最低流動化空気量下限値を下回らないように前記空気流量を制御し、
最低循環空気量保障手段は、前記ガス化炉に原料が供給され、原料流量指令値が最低負荷指令値と定格負荷指令値の間であるときは、最低循環空気流量下限値を下回らないように前記空気流量を制御し、
前記ガス化炉に原料が供給され、原料流量指令値が０と最低負荷指令値の間であるときは、最低流動化空気量下限値と最低循環空気流量下限値の間で原料流量指令値に比例して増加するように前記空気流量を制御する、ことを特徴とする。
【００１７】
上記の構成によれば、最低流動化空気量保障手段によって燃焼炉への空気流量が最低流動化空気量下限値を下回らない流量に制御され、最低循環空気量保障手段によって燃焼炉への空気量が最低循環空気流量下限値を下回らない流量に制御される。これにより燃焼炉の最低流動化空気量と最低循環空気流量を保障することができる。
【００１９】
上記の構成によれば、ガス化炉に原料が供給されていないときは、最低流動化空気量保障手段により燃焼炉への空気流量下限値が最低流動化空気量下限値に設定され、ガス化炉に原料が供給されているときは、最低循環空気量保障手段により燃焼炉への空気流量下限値が最低循環空気量下限値に設定される。これにより、ガス化炉への原料の供給開始時及び供給停止時に、自動的に最低流動化空気量下限値と最低循環空気量下限値を切り替えることができる。
【００２２】
また、本発明は、燃焼炉において、流動媒体と原料から生成されたチャーとを供給された空気によって流動化させるとともにチャーを燃焼させ、前記燃焼炉からの燃焼ガスから流動媒体を分離し、ガス化炉において、分離された前記流動媒体を導入して該流動媒体を流動化させるとともに供給された原料を流動層によりガス化し、前記ガス化炉から前記燃焼炉に前記流動媒体と前記チャーを戻すように構成した循環流動層ガス化装置において前記燃焼炉に供給する空気流量を制御する空気流量制御装置であって、
前記燃焼炉の流動媒体を循環させることが要求される運転状態において、前記燃焼炉の流動媒体を循環させるための必要最低限の空気流量である最低循環空気流量下限値を下回らないように前記燃焼炉に供給する空気流量を制御する最低循環空気量保障手段を備え、
最低循環空気量保障手段は、前記ガス化炉に原料が供給され、原料流量指令値が最低負荷指令値と定格負荷指令値の間であるときは、最低循環空気流量下限値を下回らないように前記空気流量を制御し、
前記ガス化炉に原料が供給され、原料流量指令値が０と最低負荷指令値の間であるときは、最低流動化空気量下限値と最低循環空気流量下限値の間で原料流量指令値に比例して増加するように前記空気流量を制御する、ことを特徴とする。
【００２３】
上記の構成によれば、最低循環空気量保障手段によって燃焼炉への空気量が最低循環空気流量下限値を下回らない流量に制御される。これにより燃焼炉の最低循環空気流量を保障することができる。
【００２４】
上記の空気流量制御装置において、前記最低流動化空気量下限値は、前記燃焼炉内の流動媒体の温度と相関を持つ質量流量である。
【００２５】
上記の構成によれば、燃焼炉の最低流動化空気量下限値を燃焼炉の流動媒体の温度と相関をもたせることで、より正確な最低流動化空気量下限値を設定することができる。
【００２６】
上記いずれかの空気流量制御装置において、前記最低循環空気量下限値は、前記燃焼炉内の流動媒体の温度と相関を持つ質量流量である。
【００２７】
上記の構成によれば、燃焼炉の最低循環空気量下限値を燃焼炉の流動媒体の温度と相関をもたせることで、より正確な最低循環空気量下限値を設定することができる。
【００２８】
上記いずれかの空気流量制御装置において、前記ガス化炉に供給される原料と前記燃焼炉に供給される燃料の両方又は一方の供給量に基づいて、前記燃焼炉において所望の燃焼状態を維持するための必要最低限の空気流量である最低燃焼空気量下限値を算出し、該最低燃焼空気量下限値を下回らないように前記燃焼炉に供給する空気流量を制御する最低燃焼空気量保障手段を備える。
【００２９】
上記の構成によれば、最低燃料空気量保障手段によって燃焼炉への空気流量が最低燃焼空気量下限値を下回らない流量に制御される。これにより燃焼炉の最低燃焼空気量を保障し、燃焼空気不足になる事態を防止することができる。
【００３０】
また、本発明は、燃焼炉において、流動媒体と原料から生成されたチャーとを供給された空気によって流動化させるとともにチャーを燃焼させ、前記燃焼炉からの燃焼ガスから流動媒体を分離し、ガス化炉において、分離された前記流動媒体を導入して該流動媒体を流動化させるとともに供給された原料を流動層によりガス化し、前記ガス化炉から前記燃焼炉に前記流動媒体と前記チャーを戻すように構成した循環流動層ガス化装置において、上記のいずれかの空気流量制御装置を備えることを特徴とする。
【００３１】
上記の構成によれば、燃焼炉の最低流動化空気量と最低循環空気流量の両方又は一方を保障することで、流動化運転状態又は循環運転状態を維持できなくなる事態を防止することができる。
【発明の効果】
【００３２】
本発明によれば、循環流動層ガス化装置において、燃焼炉の最低流動化空気量と最低循環空気量の両方又は一方を保障することができる。
【発明を実施するための最良の形態】
【００３３】
以下、本発明の好ましい実施形態を添付図面に基づいて詳細に説明する。なお、各図において共通する部分には同一の符号を付し、重複した説明を省略する。
【００３４】
図１は、本発明の実施形態にかかる循環流動層ガス化装置１の全体概略構成を示す図である。図１において、循環流動層ガス化装置１は、流動媒体１２と原料１５から生成されたチャーとを供給された空気１３によって流動化させるとともにチャーを燃焼させる燃焼炉２と、燃焼炉２からの排ガス１４から流動媒体１２を分離する分離器４と、分離された流動媒体１２を導入して流動化させるとともに供給された原料１５を流動層によりガス化するガス化炉７とを備える。
【００３５】
燃焼炉２の内部には流動媒体１２とチャーが収容されている。燃焼炉２内の下部からは、散気板あるいは散気ノズルを介して空気１３が供給され、燃焼炉２内の流動媒体１２が流動化されとともにチャーの燃焼が行われる。空気１３は送風ファン１９によって燃焼炉２に供給される。燃焼炉２には補助燃料供給管１１が接続されており、起動時やガス化炉７から供給されるチャーの量が少ないときに燃焼炉２に燃料１８が供給されるようになっている。
【００３６】
燃焼炉２内での流動は高速流動であり、チャーは流動化空気１３で燃焼されながら流動媒体１２とともに燃焼炉２内を上昇し、燃焼炉２の上部に設けられた移送管３により分離器４に移送される。分離器４に導入された排ガス１４とチャーと流動媒体１２は、遠心分離により気体成分と固体成分に分離され、排ガス１４は分離器４に設けられた内筒５より排気され、チャーと流動媒体１２は分離器４の下部に接続された降下管６を通って降下し、ガス化炉７に導入される。
【００３７】
ガス化炉７の下部からは、散気板あるいは散気ノズルを介して水蒸気１６が供給され、水蒸気１６によって流動媒体１２とチャーが流動化されて流動層が形成されている。ガス化炉７には原料供給管８が接続されており、原料供給管８によりガス化炉７に原料１５が供給される。原料１５は、熱分解及び水蒸気１６との反応により可燃性ガスであるガス化ガス１７を生成可能な石炭、バイオマスなどである。ガス化炉７内の流動層における流動媒体１２の温度は高温（水蒸気ガス化反応が起こり得る温度程度）であり、この流動層において原料１５が下記（１）のように熱分解し、熱分解で生成されたチャーを水蒸気１６により下記（２）のように水性ガス化し、さらに下記（３）のように水性ガス化によって生成されたＣＯと水蒸気１６とのシフト反応が行われて、ガス化ガス１７が生成される。
【００３８】
（１）熱分解
原料  →  揮発分（ＣＯ、Ｈ２、炭化水素）＋Ｃ（チャー）
（２）水性ガス化
Ｃ（チャーの一部）＋Ｈ２０（水蒸気）→ＣＯ＋Ｈ２
（３）シフト反応
ＣＯ＋Ｈ２０（水蒸気）→ＣＯ２＋Ｈ２
【００３９】
生成されたガス化ガス１７は、ガス化炉７に設けられた排出管９から排出され、例えば、発電用ガスタービン等の利用系装置に供給される。
ガス化炉７において原料１５のガス化によって生成されたチャーと、流動媒体１２は、オーバーフロー管１０を通って燃焼炉２に循環され、再度上述のように燃焼と流動化が行われる。
【００４０】
ガス化炉７におけるガス化ガス１７の生成においては、燃焼炉２におけるチャーの燃焼によってガス化炉７へ必要な熱量を供給できるだけのチャーが燃焼炉２に供給されるように、ガス化ガス１７となる分と、チャーとして残る固形分との比率が調整される。なお、ガス化炉７から燃焼炉２に循環されるチャーの量が少なく、燃焼炉２内の燃焼が不足する場合には、補助燃料供給管１１より燃料が供給されるようになっている。
【００４１】
図１において、循環流動層ガス化装置１は、さらに、燃焼炉２に供給する空気流量を制御する空気流量制御装置２０を備えている。空気流量制御装置２０は、循環流動層ガス化装置１において要求される運転状態（流動化運転または循環運転）に応じた空気流量指令値に対応する指令信号を送風ファン１９に向けて出力することにより、燃焼炉２に供給する空気流量を制御する。
【００４２】
図２は、循環流動層ガス化装置１の起動時の動作を説明する模式図である。また、図３は、循環流動層ガス化装置１の燃焼炉２に供給する空気流量及びガス化炉７に供給する原料流量の時間変化を示したものである。図３における（Ａ）〜（Ｄ）の期間は、図２の（Ａ）〜（Ｄ）に対応している。
【００４３】
起動動作においては、図２（Ａ）に示すように、まず、燃焼炉２の流動媒体１２を流動化させ且つ循環させない程度の流量（以下、「流動化流量」という）の空気を燃焼炉２に供給して、燃焼炉２の流動媒体１２を流動化させるとともに、起動用燃料２５（プロパンガス、灯油、軽油など）を燃焼炉２に供給して燃焼させ、燃焼炉２の予熱を行う（図３では（Ａ）の期間）。
【００４４】
起動用燃料２５の燃焼によって燃焼炉２の流動媒体１２が燃料１８の着火温度程度まで昇温したら、図２（Ｂ）に示すように、起動用燃料２５の供給を停止し、流動化流量の空気１３を供給しながら、石炭などの燃料を供給しさらに昇温する（図３では（Ｂ）の期間）。次いで、燃焼炉２の流動媒体１２の温度が水蒸気ガス化反応が起こり得る温度程度まで昇温したら、図２（Ｃ）に示すように、燃焼炉２の流動媒体１２を循環させることが可能な流量（以下、「循環流量」という）の空気１３を燃焼炉２に供給するともに、ガス化炉７の下部から空気を供給してガス化炉７内の流動媒体１２を流動化させることにより、流動媒体１２を循環させる（図３では（Ｃ）の期間）。
【００４５】
ガス化炉７の流動媒体１２の温度が水蒸気ガス化反応が起こり得る温度程度になったら、燃焼炉２への燃料の供給を停止し、図２（Ｄ）に示すように、燃焼炉２への循環流量の空気１３の供給を維持しながら、ガス化炉７の下部に供給している空気を水蒸気１６と切り替えて水蒸気１６によって流動媒体１２を流動化させるとともに、ガス化炉７への原料１５の供給を開始し、上述したように原料１５からガス化ガス１７を生成する（図３では（Ｄ）の期間）。
【００４６】
ガス化ガス１７の生成を停止する場合は、ガス化炉７への原料１５の供給を停止するとともに、燃焼炉２への空気流量を流動化流量まで下げ、循環流動層ガス化装置１を流動化運転の状態にする。さらに、循環流動層ガス化装置１の運転を停止する場合には、燃焼炉２への空気１３の供給を停止する。
【００４７】
次に、上記の空気流量制御装置２０について、より詳細に説明する。図１において、空気流量制御装置２０は、最低燃焼空気量保障手段２１と、最低流動化空気量保障手段２２と、最低循環空気量保障手段２３とを備える。
【００４８】
上記の最低燃焼空気量保障手段２１は、ガス化炉７に供給される原料１５と燃焼炉２に供給される燃料１８の両方又は一方の供給量に基づいて、燃焼炉２において所望の燃焼状態を維持するための必要最低限の空気流量である最低燃焼空気量下限値を算出し、最低燃焼空気量下限値を下回らないように燃焼炉２に供給する空気流量を制御する。
【００４９】
すなわち、循環流動層ガス化装置１の起動時においては、補助燃料供給管１１より石炭などの燃料１８が燃焼炉２に供給されるが、ガス化炉７からのチャーは燃焼炉２に供給されないため、最低燃焼空気量保障手段２１は、燃焼炉２に供給される燃料１８の供給量に基づいて、最低燃焼空気量下限値を算出する。
【００５０】
また、循環流動層ガス化装置１のガス化ガス生成時において、ガス化炉７に原料１５が供給されかつ燃焼炉２へのチャーの供給量も十分であるときは、燃焼炉２に燃料１８が供給されないため、最低燃焼空気量保障手段２１は、ガス化炉７に供給される原料１５の供給量に基づいて、最低燃焼空気量下限値を算出する。
【００５１】
また、循環流動層ガス化装置１のガス化ガス生成時において、ガス化炉７に原料１５が供給されているが燃焼炉２へのチャーの供給量が足りていないときは、燃焼炉２に補助的に燃料１８が供給されるため、最低燃焼空気量保障手段２１は、ガス化炉７に供給される原料１５と燃焼炉２に供給される燃料１８の両方の供給量に基づいて、最低燃焼空気量下限値を算出する。
【００５２】
このように、最低燃焼空気量保障手段２１によって燃焼炉２への空気流量が最低燃焼空気量下限値を下回らない流量に制御される。これにより燃焼炉２の最低燃焼空気量を保障し、燃焼空気不足になる事態を防止することができる。
【００５３】
上記の最低流動化空気量保障手段２２は、燃焼炉２において流動層を形成することが要求される運転状態において、燃焼炉２において流動層を形成するための必要最低限の空気量である最低流動化空気量下限値を下回らないように燃焼炉２に供給する空気流量を制御する。
【００５４】
本実施形態では、図３に示すように、ガス化炉７への原料１５の供給が開始されるまでは、空気流量下限値が最低流動化空気量下限値Ｆｆｍｉｎに設定される。したがって、ガス化炉７に原料１５が供給されるまでの間で、操作員の誤操作または空気流量設定器の誤指令によって不当に低い空気流量が設定された場合であっても、燃焼炉２への空気流量が最低流動化空気量下限値Ｆｆｍｉｎを下回ることがなく、最低流動化空気量を保障することができる。
【００５５】
また、仮に、ガス化炉７への原料１５の供給開始前における流動媒体１２の循環中に、誤操作等の原因で空気流量設定値が最低流動化空気量下限値Ｆｆｍｉｎを下回る値に設定されたとしても、最低流動化空気量が保障されており、原料１５も供給されていない状態なので、プラントへの影響は少ない。
【００５６】
上記の最低循環空気量保障手段２３は、燃焼炉２の流動媒体１２を循環させることが要求される運転状態において、燃焼炉２の流動媒体１２を循環させるための必要最低限の空気流量である最低循環空気流量下限値を下回らないように燃焼炉２に供給する空気流量を制御する。
【００５７】
本実施形態では、図３に示すように、ガス化炉７への原料１５の供給が開始されるタイミングで、空気流量下限値が最低循環空気量下限値Ｆｃｍｉｎに設定される。したがって、ガス化炉７に原料１５が供給されている間で、操作員の誤操作または空気流量設定器の誤指令によって不当に低い空気流量が設定された場合であっても、燃焼炉２への空気流量が最低循環空気量下限値Ｆｃｍｉｎを下回ることがなく、最低循環空気量を保障して流動媒体１２の循環を維持することができる。
【００５８】
また、２つの空気量下限値をガス化炉７への原料１５の供給の有無に応じて設定するようにしたので、図３に示すように、ガス化炉７への原料１５の供給開始時及び供給停止時に、自動的に最低流動化空気量下限値Ｆｆｍｉｎと最低循環空気量下限値Ｆｃｍｉｎを切り替えることができる。
【００５９】
図４は、上述した空気流量制御装置２０の制御ロジック図である。
【００６０】
図４に示すように、最低燃焼空気量保障手段２１においては、ガス化炉７への原料流量と燃焼炉２への燃料流量が、それぞれ関数器２６，２７に入力され、それぞれに基づく空気流量下限値が算出され、これらが加算器３１によって加算されて最低燃焼空気量下限値として出力され、高値選択器３２において、操作員または空気流量設定器により設定された空気流量設定値と最低燃焼空気量下限値のうち大きい方が選択され出力される。
【００６１】
図４に示された最低流動化空気量保障手段２２においては、燃焼炉２の流動媒体１２の温度が関数器２８に入力されて当該温度と相関をもつ最低流動化空気量下限値が算出及び出力され、高値選択器３４において、高値選択器３３からの出力値と最低流動化空気量下限値のうち大きい方が選択されて、空気流量指令値として出力される。
【００６２】
このとき、高値選択器３３からの出力値が、そのときの運転状態の空気流量設定値として適正であれば、最低流動化空気量下限値よりも大きいはずなので、高値選択器３３からの出力値がそのまま空気流量指令値となる。逆に、高値選択器３３からの出力値が、そのときの運転状態の空気流量設定値としては不当に低いときは、高値選択器３４において最低流動化空気量下限値が選択される。
【００６３】
ここで、最低流動化空気量下限値は質量流量（ｔ／ｈ）であり、固定値であってもよいが、本実施形態のように、燃焼炉２の流動媒体１２の温度と相関をもつのがよい。図５は、燃焼炉２の流動媒体１２の温度と、最低流動化空気量下限値との相関関係を示す図である。図５に示すように、最低流動化空気流量下限値は、温度変化があっても体積流量が一定となるように、燃焼炉２の流動媒体１２の温度が高くなるにつれて少なく設定される。
【００６４】
このように、燃焼炉２の最低流動化空気量下限値を燃焼炉２の流動媒体１２の温度と相関をもたせることで、より正確な最低流動化空気量下限値を設定することができる。なお、図５において、Ｃは流動媒体１２を流動化させるために必要な送風ファン１９の容量、ｔ１は下限値曲線上の容量Ｃでの温度、ｔ２は流動媒体１２の昇温完了時の温度である。また、ハッチングが施された領域は、流動化運転時の空気流量設定可能範囲を示す。
【００６５】
図４に示された最低循環空気量保障手段２３においては、燃焼炉２の流動媒体１２の温度が関数器２９に入力されて当該温度と相関をもつ最低循環空気流量下限値が算出される。ここで、最低循環空気量下限値は質量流量（ｔ／ｈ）であり、固定値であってもよいが、本実施形態のように、燃焼炉２の流動媒体１２の温度と相関をもつのがよい。
【００６６】
図６は、燃焼炉２の流動媒体１２の温度と、最低循環空気流量下限値との相関関係を示す図である。このように、最低循環空気流量下限値は、温度変化があっても体積流量が一定となるように、燃焼炉２の流動媒体１２の温度が高くなるにつれて少なく設定される。このように、燃焼炉２の最低循環空気量下限値を燃焼炉２の流動媒体１２の温度と相関をもたせることで、より正確な最低循環空気量下限値を設定することができる。なお、図６において、Ｃは流動媒体１２を循環させるために必要な送風ファン１９の容量、ｔ１、ｔ２は、それぞれ、図５における同一の符号と同じ意味をもつ。また、ハッチングが施された領域は、循環運転時の空気流量設定可能範囲を示す。
【００６７】
図４に戻って、乗算器３５において、最低循環空気量下限値に０〜１の比率が乗じられる。ここで、乗算器３５に入力される０〜１の比率は、関数器３０においてガス化炉７への原料１５の流量に応じて設定される。図７は、原料流量指令値と上記の比率との関係を示す図である。図７において、Ｗ１は最低負荷運転時の原料流量指令値、Ｗ２は定格負荷運転時の原料流量指令値を示す。ガス化炉７におけるガス化運転時には、通常はＷ１〜Ｗ２の間の流量で原料１５が供給される。
【００６８】
また、図７において、原料流量が０で比率が０となり、原料流量がＷ１〜Ｗ２の間で比率が１となり、原料１５流量が０〜Ｗ１の間で原料流量の増減に比例して比率が変化するようになっている。これにより、ガス化炉７に原料１５が供給されていないときは、図４において、関数器３０により比率が０に設定されることで、乗算器３５からの出力は０となり、最低循環空気量下限値は無効化される。この結果、ガス化炉７に原料１５が供給されていないときは、図３に示すように、最低流動化空気量下限値Ｆｆｍｉｎが、その運転状態における空気流量下限値として設定される。
【００６９】
逆に、ガス化炉７に原料１５がＷ１〜Ｗ２で供給されているときは、図４において、関数器により比率が１に設定されるので、乗算器３５からは最低循環空気量下限値がそのまま出力される。この結果、ガス化炉７に原料１５がＷ１〜Ｗ２で供給されているときは、図３に示すように、最低循環空気量下限値Ｆｃｍｉｎが、その運転状態における空気流量下限値として設定される。なお、図７の例では、原料供給の開始時及び停止時における空気量下限値の急激な変化を避けるため、原料流量が０からＷ１の間で比率の変化に勾配を有するが、原料流量が０のときに比率が０となり、原料１５流量が０以外のときに比率が１となるように、ステップ状に変化させもよい。
【００７０】
なお、上記において、本発明の実施形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【図面の簡単な説明】
【００７１】
【図１】本発明の実施形態にかかる循環流動層ガス化装置の全体概略構成を示す図である。
【図２】循環流動層ガス化装置の起動時の動作を説明する模式図である。
【図３】循環流動層ガス化装置の燃焼炉に供給する空気流量及びガス化炉に供給する原料流量の時間変化を示した図である。
【図４】空気流量制御装置の制御ロジック図である。
【図５】燃焼炉の流動媒体の温度と、最低流動化空気流量下限値との相関関係を示す図である。
【図６】燃焼炉の流動媒体の温度と、最低循環空気流量下限値との相関関係を示す図である。
【図７】最低循環空気量下限値に乗じる比率と原料流量指令値との関係を示す図である。
【図８】特許文献２に開示された循環流動層ガス化装置の全体構成を示す図である。。
【符号の説明】
【００７２】
１  循環流動層ガス化炉
２  燃焼炉
３  移動管
４  分離器
５  内筒
６  降下管
７  ガス化炉
８  原料供給管
９  排出管
１０  オーバーフロー管
１１  補助燃料供給管
１２  流動媒体
１３  空気
１４  排ガス
１５  原料
１６  水蒸気
１７  ガス化ガス
１８  燃料
１９  送風ファン
２０  空気流量制御装置
２１  最低燃焼空気量保障手段
２２  最低流動化空気量保障手段
２３  最低循環気量保障手段
２６〜３０  関数器
３１  加算器
３２〜３４  高値選択器
３５  乗算器
【図１】
0005321785.tif 000002
【図２】
0005321785.tif 000003
【図３】
0005321785.tif 000004
【図４】
0005321785.tif 000005
【図５】
0005321785.tif 000006
【図６】
0005321785.tif 000007
【図７】
0005321785.tif 000008
【図８】
0005321785.tif 000009